(57)【要約】【課題】  本発明は、釣り針がどのような姿勢で保持部に引っかかっても、その瞬間に胴部をも保持しえるようにし、もって、保持部に引っかかっている針に繋がってハリス同士が絡まったり、針が不用意に外れたりすることのないようにすることを課題とした。【解決手段】  細いモノフィラメントがランダムに絡み合ってできた綿状の層は、針が突入するとフィラメント間にこれを挟み込み保持すると共に、疑似針が衝突しても、マット状柔軟材よりなる保持部は、その衝撃を吸収してほとんど反発せずに抱き込むように保持することとなる。  この結果、ほとんど無意識の状態で擬餌針を保持部に落下しても、これを確実に保持することができた。  また、モロフィラメントを綿状にしたので、撚糸を用いた場合のようなほちれが生じず、またスポンジやゴムを用いたときのように針が刺さった箇所が脆くなるという問題もない。  よって、繰り返し使用しても保持部は劣化しない。  また、モロフィラメントを用いることで、水切れが良く、使用後の清掃に当たっても乾燥時間を短縮できる利点がある。【選択図】  図１
2005253441.tif 000002
【特許請求の範囲】
【請求項１】
釣り針を保持する保持具において、釣り針が引っ掛かる保持部が基板表面に固定されていて、前記釣り針保持部は細いモノフィラメントを綿状に絡めたマット状柔軟材よりなることを特徴とする釣り針保持具
【請求項２】
前記請求項１に記載の釣り針保持具において、前記保持部の表面がかまぼこ状に突出させてなることを特徴とする釣り針保持具
【請求項３】
前記請求項２に記載の釣り針保持具において、前記釣り針保持部の突出稜線が一方の裾野側に偏しており、この稜線から他方の裾野に向かって緩傾斜面を形成してなることを特徴とする釣り針保持具
【請求項４】
前記請求項１から３のいずれかに記載の釣り針保持具において、前記基板の裏面に磁性体が固定され、磁石に吸着可能にしてなることを特徴とする釣り針保持具
【請求項５】
前記請求項１から３のいずれかに記載の釣り針保持具において、前記基板自体を磁性体により構成して磁石に吸着可能にしてなることを特徴とする釣り針保持具
【発明の詳細な説明】
【技術分野】
【０００１】  本発明は、釣りの最中に釣り針、特にイカ釣りのような周囲に針先が多数突出している擬餌針を複数幹糸に取り付けた仕掛けに適した釣り針の保持具に関する。
【背景技術】
【０００２】  この種、釣り針保持具については、以下の参考文献に示されているように、各種のものが提案されている。
特開２００１−３３３６７８号公報に示されているように、磁石板を船べりに固定して、釣り針を磁石で吸着するものでは、擬餌針のように周囲に多数の針が突出しているものでは、針と磁石板との接触面積が過小で船の揺れや吊り上げ操作の力を受けると簡単にはずれるという問題が生じていた。
このような問題を解決するために、特開２００１−３３３６８０号公報や登録実用新案第３０１１８６７号公報には、針が引っかかり易い材質の保持部が提案されている。
しかし、この種従来の保持部は、ムートン毛地、ウレタン地あるいはゴムシートにより構成されているが、吊り上げ操作中に適切な位置や強さで針を引っ掛けることが難しく、図６に示すように、重量のある擬餌針（Ｓ）の胴部（Ｓｄ）が浮き上がって船の揺れなどで大きく揺れてハリス同士を絡ませたり、不用意に外れたりする問題が生じていた。
特に、獲物が掛かっている場合は、迅速な処理が要求されるために、引き上げた擬餌針の姿勢を整えるような操作を行うには極めて高度な技能を要し、一般的には不可能であった。
【参考文献】
特開２００１−３３３６７８号公報
【参考文献】
特開２００１−３３３６８０号公報
【参考文献】
登録実用新案第３０１１８６７号公報
【発明の開示】
【０００３】  本発明は、このような実情にかんがみなされたものである。
【発明が解決しようとする課題】
【０００４】  本発明は、擬餌針などの釣り針を放り投げても保持部に瞬間に保持し、船の動揺などでも容易に離れないが、必要なときは簡単に保持部から取り外すことができるようにすることを課題とした。
【課題を解決するための手段】
【０００５】  本第一発明は、前記課題を解決するために、釣り針が引っ掛かる保持部が基板表面に固定されていて、前記釣り針保持部は細いモノフィラメントを綿状に絡めたマット状柔軟材よりなることを特徴とする構成を採用した。
【発明の効果】
【０００６】  細いモノフィラメントがランダムに絡み合ってできた綿状の層は、針が突入するとフィラメント間にこれを挟み込み保持すると共に、疑似針が衝突しても、マット状柔軟材よりなる保持部は、その衝撃を吸収してほとんど反発せずに抱き込むように保持することとなる。
この結果、ほとんど無意識の状態で擬餌針を保持部に落下しても、これを確実に保持することができた。
また、モロフィラメントを綿状にしたので、撚糸を用いた場合のようなほちれが生じず、またスポンジやゴムを用いたときのように針が刺さった箇所が脆くなるという問題もない。
よって、繰り返し使用しても保持部は劣化しない。
また、モロフィラメントを用いることで、水切れが良くなり、使用後の清掃に当たっても乾燥時間を短縮できる利点がある。
【課題を解決するための手段】
【０００７】  本第二発明は、前記第一発明において、前記保持部の表面がかまぼこ状に突出させてなることを特徴とする構成を採用した。
【発明の効果】
【０００８】  このようにすることにより、前記第一発明の有する作用効果とともに、擬餌針より突出した針が保持部に引っ掛けられた状態では、その周辺にあるかまぼこ型の保持部が擬餌針側に突出するかたちになる。
この結果、針の近くにある擬餌針の胴部を保持部が抱き込むように保持するので、擬餌針は保持部に引っ掛かったとたんに、針と胴部の２箇所で保持されることとなる。
この対応は、擬餌針の姿勢が左右に傾斜したり、保持部の上下に変位しても同様に作用するので、擬餌針の姿勢を整えることなく保持部に引っ掛けるのみで、擬餌針を確実に保持することができるようになった。
【課題を解決するための手段】
【０００９】  さらに、本第三発明は、前記第二発明において、前記釣り針保持部の突出稜線が一方の裾野側に偏しており、この稜線から他方の裾野に向かって緩傾斜面が形成してなることを特徴とする構成を採用した。
【発明の効果】
【００１０】  このようにした釣り針保持具を、その保持部の突出稜線が偏した側を海側にして船べりなどに取り付けて用いることにより、擬餌針の胴部と保持部の接触面積がより大きくなり、より確実に擬餌針を保持することができるようになった。
【課題を解決するための手段】
【００１１】  本第四発明は、前記第一ないし第三発明において、前記基板の裏面に磁性体が固定され、磁石に吸着可能にしてなることを特徴とする採用した。
【発明の効果】
【００１２】  このようにすることで、本発明の保持具を船べりなどに固定する際し、特開２００１−３３３６７８号公報に示されているような磁石板を持つ従来の保持具を利用することができ、船べり固定用の別途構造を要することなく、簡素な構成としえた。
【課題を解決するための手段】
【００１３】  本第五発明は、前記第一ないし第三発明において、前記基板自体を磁性体により構成して磁石に吸着可能にしてなることを特徴とする採用した。
【発明の効果】
【００１４】  このようにすることで、本発明の保持具を船べりなどに固定する際し、特開２００１−３３３６７８号公報に示されているような磁石板を持つ従来の保持具を利用することができ、船べり固定用の別途構造を要することなく、簡素な構成としえた。さらに、基板自体が磁性体であるから、別途磁性体を要しないので一層の構造の簡素化を達成することができた。
【発明を実施するための最良の形態】
【００１５】  以下に、本発明の最良の実施形態を例示するが、本発明はこれによって限定されるものではない。
【実施例１】
【００１６】  本実施例の保持具（１）は、磁性粉末を練り込んだ合成ゴム板を短冊状に成型した基板（２）と、合成樹脂からなる細いモノフィラメント（０．３ｍｍ以下、好ましくは０．１から０．０３ｍｍ程度の太さ）を綿状に絡めた短冊型のマット状柔軟材よりなる保持部（３）とからなる。
保持部（３）の厚さは、５ｍｍから３０ｍｍ程度あれば良いが、薄すぎると擬餌針（Ｓ）の落下衝撃を吸収できなくなる。
前記保持具（１）は、船べり（Ｂ）に固定された釣り針吸着用磁石板（Ａ）に前記基板（２）を吸着固定して使用するものである。
このように構成した保持部（３）に擬餌針が落下しても、針が保持部（３）に引っかかると共に落下衝撃を吸収して跳ね上がりを極小さいものにしたので、釣り上げ中などに獲物がかっていない擬餌針をほとんど無意識に保持部（３）に落としても、これを確実に保持することができた。
【実施例２】
【００１７】  本実施例の保持部（３Ａ）は、前記実施例１と同様な材質であるが、前記基板（１）の内外側の中央に稜線（Ｌ）を位置させたかまぼこ型に成型したものである。
釣り上げ時に引き上げられた擬餌針（Ｓ）は、図３に示すように、整列することなく前記保持部（３Ａ）に引っ掛けられるが、これがかまぼこ型であるため、その胴部（Ｓｄ）が全て保持部（３Ａ）に抱き込まれている。
この結果、擬餌針（Ｓ）は左右に揺れたり移動することなくより確実に保持されることなった。
その他の点は、前記実施例１と同様なので説明を省略する。
【実施例３】
【００１８】  本実施例は、前記基板に合成樹脂板（２Ａ）を使用し、その裏面に磁石板（４）を固定したものである。
このようにすることにより磁石板（４）の大きさを基板（２Ａ）の大きさに規制されることなく自由に設定できるので、相手の磁石板（Ａ）の大きさや吸着位置に合った形状にすることができた。
その他の点は前記実施例２と同様なので説明を省略する。
【実施例４】
【００１９】  本実施例は、保持部（３Ｂ）のかまぼこ型の凸部稜線（Ｌ２）を外側に偏らせ、この稜線（Ｌ２）より内側に緩斜面（３５）を形成したものである。
この緩斜面（３５）により、擬餌針（Ｓ）の胴部（Ｓｄ）への抱きつきをより大きい範囲で行えるようにしたものである。
その他の点は前記実施例２と同様なので説明を省略する。
【その他】
【００２０】  保持部（３）（３Ａ）（３Ｂ）を構成するモノフィラメントとしては、ナイロン、ビニロン、ポリプロピレン、塩化ビニル等の合成樹脂製が適している。撚糸を使用すると、引っ掛かった針を外すにあたり毛羽立ちが生じたり、撚糸を崩すなどにより耐久性が劣化するが、モノフィラメントではこのような問題がないので長期にわたり繰り返し使用することができた。
【００２１】  保持部（３）（３Ａ）（３Ｂ）の表面にウレタン系の接着剤を薄めて塗布し、表面のみフィラメント同士を接着して、柔軟性を損なわない程度に表面の保形性を高めるのも良い。
このようにすることで、針の抜き刺しによる変形を防止し、耐久性を増すことができた。
【００２２】  基板（２）（２Ａ）の一端を延長して舌状の挟持部を形成し、当該箇所を船べり（Ｂ）とこれに固定される竿持ち具の間に挟み込んで固定できるようにして、磁石を用いなくとも船べり（Ｂ）などに固定できるようにするのも良い。
【産業上の利用可能性】
【００２３】  本発明は、釣り針の保持具に関するものであるが、特に擬餌針（Ｓ）を多数幹糸の取り付けた仕掛けを使用して釣りを行うときに極めて有効に利用できるものである。
【図面の簡単な説明】
【図１】  実施例１を示す斜視図
【図２】  実施例２を示す斜視図
【図３】  実施例２の使用状態を示す側面図
【図４】  実施例３の使用状態を示す側面図
【図５】  実施例４の使用状態を示す側面図
【図６】  従来の保持具の使用状態を示す側面図
【符号の説明】
【００２４】  （１）保持具
（２）（２Ａ）基板
（３）（３Ａ）（３Ｂ）保持部
（３５）緩斜面
（４）磁性板
（Ｓ）擬餌針
（Ｓｄ）擬餌針の胴部
（Ｂ）船べり
（Ａ）釣り針吸着用磁石板
【図１】
2005253441.tif 000003
【図２】
2005253441.tif 000004
【図３】
2005253441.tif 000005
【図４】
2005253441.tif 000006
【図５】
2005253441.tif 000007
【図６】
2005253441.tif 000008